(57)【要約】【課題】周囲の光の強度に応じて、表示する画像の光の強度を算出し、算出した光の強度で画像を表示する画像表示装置を提供する。【解決手段】画像表示装置は、周囲から入射する光の強度に応じた信号（Ａ）を出力する光強度出力部１５と、画像のデータが入力される画像データ入力部１０と、入力される信号（Ｂ）に応じた光の強度で、前記入力されたデータが示す画像を表示する画像表示部３０と、前記画像を表示する光の強度が、前記入射する光の強度を超えないようにすべく、前記出力された信号（Ａ）に応じて、前記画像表示部に入力する前記信号（Ｂ）を算出する信号算出部２０とを備える。【選択図】図３
2007193163.tif 000002
【特許請求の範囲】
【請求項１】
周囲から入射する光の強度に応じた信号（Ａ）を出力する光強度出力部と、
画像のデータが入力される画像データ入力部と、
入力される信号（Ｂ）に応じた光の強度で、前記入力されたデータが示す画像を表示する画像表示部と、
前記画像を表示する光の強度が、前記入射する光の強度を超えないようにすべく、
前記出力された信号（Ａ）に応じて、前記画像表示部に入力する前記信号（Ｂ）を算出する信号算出部とを備えることを特徴とする画像表示装置。
【請求項２】
請求項１に記載の画像表示装置において、
前記信号算出部は、
前記出力された信号（Ａ）から前記入射した光の強度を算出する関係式（第１の関係式）、
前記入射した光の強度から参照する媒体の反射光の強度を算出する関係式（第２の関係式）および
前記媒体の反射光の強度から前記入力する信号（Ｂ）を算出する関係式（第３の関係式）に基き、前記入力する信号（Ｂ）を算出することを特徴とする画像表示装置。
【請求項３】
請求項２に記載の画像表示装置において、
前記第１の関係式、前記第２の関係式および前記第３の関係式は、
それぞれ概ね比例の関係にあることを特徴とする画像表示装置。
【請求項４】
請求項１乃至３のいずれか１項に記載の画像表示装置において、
前記画像表示部は、前記画像を表示する表示手段を有し、
前記光強度出力部は、前記表示手段に近接して複数配置されることを特徴とする画像表示装置。
【請求項５】
請求項４に記載の画像表示装置において、
前記画像表示部は、光束を射出する光源手段を更に有し、
前記表示手段は、前記光束の透過を制御することにより画像を生成することを特徴とする画像表示装置。
【請求項６】
請求項４乃至５のいずれかに記載の画像表示装置において、
前記画像表示部は、前記表示手段を複数の領域に分割し、それぞれの領域毎に前記信号（Ｂ）を入力すると共に、
前記算出部は、前記表示手段に近接して配置された前記複数の光強度出力部の位置に応じて、前記領域毎に入力する信号（Ｂ）を算出することを特徴とする画像表示装置。
【請求項７】
請求項６に記載の画像表示装置において、
前記表示手段は、前記画像を複数の画素に分割して表示すると共に、
前記光強度出力部は、それぞれの前記画素に応じて配置されることを特徴とする画像表示装置。
【請求項８】
請求項１乃至７のいずれか１項に記載の画像表示装置において、
前記光強度出力部は、
前記入射した光を、赤色光、青色光および緑色光のそれぞれの強度の信号（Ａ）に分離して出力すると共に、
前記信号算出部は、
前記分解して出力された信号（Ａ）を合成して前記信号（Ｂ）を算出し、
前記算出した信号（Ｂ）を、前記それぞれの色の色差に応じて前記それぞれの色光毎に分離することを特徴とする画像表示装置。
【請求項９】
請求項１乃至８のいずれか１項に記載の画像表示装置を具備した電子式フォトビューア。
【発明の詳細な説明】
【技術分野】
【０００１】
本発明は、電子写真を観賞すべく表示する画像表示装置および電子式フォトビューアに関する。
【背景技術】
【０００２】
従来、静止画像を撮影する方法としては、銀塩フィルムを使用する方法以外に、デジタルカメラ等を使用して被写体を撮影し、コンパクトフラッシュ（登録商標）等の記録媒体にデジタルデータを記録する方法が知られている。このようなデジタルカメラ等で撮影した電子写真を、観賞用画像として表示する装置としては、下記特許文献１のように、液晶パネルのような電子式の表示媒体と、種々のインターフェイスを具備する電子式写真立てが提案され、インターフェイスを介してデジタルデータを入力し、入力したデジタルデータが示す画像を前記表示媒体に表示させていた。
【０００３】
【特許文献１】特開平１０−８３１４６号公報
【発明の開示】
【発明が解決しようとする課題】
【０００４】
しかしながら、電子式写真立ての表示媒体は、周囲の光の強さに関係無く、ほぼ一定の輝度で発光するため、例えば、周囲が突然に暗くなるように、周囲の明るさの環境が急激に変化した場合、銀塩写真を入れた写真立てのように、周囲の光により画質が変化することなく、表示媒体の輝度が際立つことから、電子式写真立てを見る鑑賞者に対して違和感を与えた。
【課題を解決するための手段】
【０００５】
上記した課題を解決するために、本発明の画像表示装置は、周囲から入射する光の強度に応じた信号（Ａ）を出力する光強度出力部と、画像のデータが入力される画像データ入力部と、入力される信号（Ｂ）に応じた光の強度で、前記入力されたデータが示す画像を表示する画像表示部と、前記画像を表示する光の強度が、前記入射する光の強度を超えないようにすべく、前記出力された信号（Ａ）に応じて、前記画像表示部に入力する前記信号（Ｂ）を算出する信号算出部とを備えることを特徴とする。
【０００６】
この発明によれば、画像表示部で表示される画像の光の強度は、光強度出力部の周囲から入射する光の強度を超えないように、信号算出部で算出される。従って、画像表示部に表示された画像を見る鑑賞者は、周囲の光の強度を超えないように制御された画像を見るため、周囲の光により画像の画質が変化することから、電子画像を違和感無く観賞できる。
【０００７】
本発明では、前記信号算出部は、前記出力された信号（Ａ）から前記入射した光の強度を算出する関係式（第１の関係式）、前記入射した光の強度から参照する媒体の反射光の強度を算出する関係式（第２の関係式）および前記媒体の反射光の強度から前記入力する信号（Ｂ）を算出する関係式（第３の関係式）に基き、前記入力する信号（Ｂ）を算出することが好ましい。
【０００８】
この発明によれば、画像を表示する光の強度は、入射した光が参照する媒体で反射した光の強度に応じて算出できる。
【０００９】
本発明では、前記第１の関係式、前記第２の関係式および前記第３の関係式は、それぞれ概ね比例の関係にあることが好ましい。
【００１０】
この発明によれば、それぞれの関係式がほぼ比例関係にあるため、それぞれの算出する値は、演算により容易に取得できる。
【００１１】
本発明では、前記画像表示部は、前記画像を表示する表示手段を有し、前記光強度出力部は、前記表示手段に近接して複数配置されることが好ましい。
【００１２】
この発明によれば、光強度出力部は、表示手段に近接して複数配置されるため、表示手段の周囲から入射する光の強度を詳細に検出できる。
【００１３】
本発明では、前記画像表示部は、光束を射出する光源手段を更に有し、前記表示手段は、前記光束の透過を制御することにより画像を生成しても良い。
【００１４】
本発明では、前記画像表示部は、前記表示手段を複数の領域に分割し、それぞれの領域毎に前記信号（Ｂ）を入力すると共に、前記算出部は、前記表示手段に近接して配置された前記複数の光強度出力部の位置に応じて、前記領域毎に入力する信号（Ｂ）を算出することが好ましい。
【００１５】
この発明によれば、表示手段の複数の領域毎に入力する信号を、複数の光強度出力部の位置に応じて算出するため、表示する画像の強度を詳細に制御できる。
【００１６】
本発明では、前記表示手段は、前記画像を複数の画素に分割して表示すると共に、前記光強度出力部は、それぞれの前記画素に応じて配置されても良い。
【００１７】
本発明では、前記光強度出力部は、前記入射した光を、赤色光、青色光および緑色光のそれぞれの強度の信号（Ａ）に分離して出力すると共に、前記信号算出部は、前記分解して出力された信号（Ａ）を合成して前記信号（Ｂ）を算出し、前記算出した信号（Ｂ）を、前記それぞれの色の色差に応じて前記それぞれの色光毎に分離することが好ましい。
【００１８】
この発明によれば、画像表示部で表示される画像の光の強度は、色差に応じて各色光毎に分離されて算出されるため、信号算出部は、周囲の光の色に応じて画像表示部に入力する信号（Ｂ）を算出できる。
【００１９】
そして、前述の画像表示装置を電子式フォトビューアに適用することにより、周囲の光に応じた見え方で画像を表示する電子式フォトビューアを提供できる。
【発明を実施するための最良の形態】
【００２０】
以下、本発明の実施形態について、電子写真を表示する電子式フォトビューア１を用いて説明する。
（実施形態１）
【００２１】
図１は、電子式フォトビューア１の外観を示す図である。この電子式フォトビューア１は、外観視、銀塩写真の写真立てであり、電子写真を表示する筐体部３と支持部５とを有している。この電子式フォトビューア１は、通常ほぼ水平な面に配置され、支持部５が筐体部３の背面を支持することで、筐体部３の電子写真を表示する面が所定の角度を持ち、電子式フォトビューア１が安定して配置されるように構成されている。
【００２２】
この筐体部３の前記面の略中央には、電子写真を表示する液晶パネル３７が配置されると共に、この液晶パネル３７の上部には、周囲の光が入射するフォトセンサ１６が配置されている。また、電子式フォトビューア１の側面の１つには、メモリカードを装着可能なメモリカードリーダ１２が配置され、電子写真のデータを記憶したメモリカードをメモリカードリーダ１２に装着して所定の操作を行うことで、液晶パネル３７に電子写真画像３９が表示されるように構成されている。
【００２３】
この電子式フォトビューア１は、周囲の光の強度をフォトセンサ１６で検出すると共に、電子写真画像３９の光の強度が、検出した光の強度を超えないように制御する機能を有している。この機能の詳細については、後述する。
【００２４】
図２は、電子式フォトビューア１のハードウェア構成を示す図である。この電子式フォトビューア１は、ＣＰＵ（Ｃｅｎｔｒａｌ  Ｐｒｏｃｅｓｓｉｎｇ  Ｕｎｉｔ）５０と、ＲＡＭ（Ｒａｎｄｏｍ  Ａｃｃｅｓｓ  Ｍｅｍｏｒｙ）５２と、ＲＯＭ（Ｒｅａｄ  Ｏｎｌｙ  Ｍｅｍｏｒｙ）５４と、記憶装置５６と、入力Ｉ／Ｆ（Ｉｎｔｅｒｆａｃｅ）５８と、液晶ディスプレイコントローラ６２とを備える。これらのハードウェアは、バス６４により各信号が授受可能に接続されている。また、これらのハードウェアは、基本ソフトウェアであるＢＩＯＳ（Ｂａｓｉｃ  Ｉｎｐｕｔ  Ｏｕｔｐｕｔ  Ｓｙｓｔｅｍ）や、オペレーティングシステム（ＯＳ）により管理され、これらの管理下で、ＲＯＭ５４や記憶装置５６に記憶されたドライバを含む種々のソフトウェアにより、所定の機能が実行される。
【００２５】
入力Ｉ／Ｆ５８には、メモリカードリーダ１２およびフォトセンサ１６が所定の規格に従い接続されている。フォトセンサ１６は、フォトダイオードやフォトトランジスタ等の受光素子を備え、入射した光の強度に応じて電圧信号（Ｖｏｕｔ）を出力する。
【００２６】
ＣＰＵ５０は、基本ソフトウェア、入力Ｉ／Ｆ５８に接続されたメモリカードリーダ１２のデバイスドライバなどの各種プログラム、および各種のデータをＲＯＭ５４や記憶装置５６から読み込み、これらをＲＡＭ５２内に設けられるメインメモリ領域に展開して実行する。また、記憶装置５６は、情報を読書き可能に記憶する装置であり、例えば、ハードディスクドライブやフラッシュメモリを採用できる。
【００２７】
液晶ディスプレイコントローラ６２は、ＣＰＵ５０からの指示に従い、液晶ディスプレイ３２を駆動させる駆動信号を生成して、液晶ディスプレイ３２に送る。液晶ディスプレイ３２は、液晶の配向状態を変化させることで、画像を形成する液晶パネル３７と、この液晶パネル３７の背面から光束を射出するバックライト４５とを備える。この液晶ディスプレイ３２に供給される駆動信号には、液晶ディスプレイ３２で表示する画像の画像信号と、バックライト４５から射出する光束の強度を制御する電圧信号（Ｖｉｎ）とを含む。
【００２８】
図３は、電子式フォトビューア１の機能構成を示す図である。この電子式フォトビューア１は、画像データ入力部１０と、光強度出力部１５と、信号算出部２０と、記憶部２５と、画像表示部３０とを備える。また、画像表示部３０は、液晶パネル３７のような表示手段３５と、バックライト４５のような光源手段４０とを具備する。
【００２９】
画像データ入力部１０は、画像のデータが入力される。本実施形態１では、メモリカードを介して画像のデータを入力するが、この方法には限定されず、他の記録媒体や通信を介して画像データが入力されても良い。この画像データ入力部１０に入力された画像のデータは、記憶部２５に送られ記憶された後、必要に応じて、画像表示部３０により読み込まれ、表示手段３５に表示される。尚、表示手段３５は、液晶ディスプレイ３２に限定されるものではなく、プラズマディスプレイパネルや、有機ＥＬ（Ｅｌｅｃｔｒｏｌｕｍｉｎｅｓｃｅｎｃｅ）パネル等のような自発光型の表示ディスプレイを採用しても良い。更に、画像表示部３０は、表示手段３５に表示した画像を光源手段４０で照射し、投写レンズで拡大して投写するプロジェクタに対しても適用できる。
【００３０】
光強度出力部１５は、画像表示部３０の周囲の光の強さを検出すると共に、検出した光の強さを信号に変換して出力する。尚、本実施形態１では、光の強さをフォトセンサ１６で電圧信号（Ｖｏｕｔ）に変換して出力しているが、電圧の信号には限定されず、その他のアナログ信号や、デジタル信号でも良い。この光強度出力部１５から出力された電圧信号（Ｖｏｕｔ）は、信号算出部２０に送られる。
【００３１】
信号算出部２０は、光強度出力部１５から出力された光の強さを示す電圧信号（Ｖｏｕｔ）を受け、記憶部２５に記憶されたパラメータを参照して、光源手段４０から射出する光束の強度を制御するための電圧信号（Ｖｉｎ）を算出する。この信号算出部２０の機能について、図４を参照して説明する。
【００３２】
図４（ａ）は、光強度出力部１５における、単位面積に入射した光の強さを示す光強度（単位：ｃｄ／ｍ2）と、フォトセンサ１６から出力される電圧信号（Ｖｏｕｔ）（単位：Ｖ）との関係を直線７２で示すグラフである。このグラフに示すように、前記光強度と前記電圧信号との関係は、センサオフセット電圧（Ｖｓ）をオフセット値として、概ね１次の比例関係にある。従って、この比例関係を示すパラメータを実験等により取得して、取得したパラメータを記憶部２５に予め記憶しておき、信号算出部２０は、必要に応じて記憶したパラメータを読み出すことで、電圧信号（Ｖｏｕｔ）に対応する光強度（α）を算出できる。
【００３３】
また、図４（ｂ）は、単位面積に入射した光の強さを示す光強度（単位：ｃｄ／ｍ2）と、その時の参照する媒体の反射光の強度（単位：ｃｄ／ｍ2）との関係を直線７４で示すグラフである。本実施形態１では、この参照する媒体は、例えば、銀塩写真で使用される一般的な印画紙を採用する。尚、光強度と反射光の強度との関係は、このグラフに示すように、概ね１次の比例関係にあり、この比例関係を示すパラメータを実験等により取得して、取得したパラメータを記憶部２５に予め記憶しておき、信号算出部２０は、必要に応じて記憶したパラメータを読み出すことで、光強度（α）に対応する反射光の強度（β）を算出できる。尚、この比例関係の係数（β／α）を１以下の定数値とすることにより、液晶パネル３７で画像を表示する光の強度が、フォトセンサ１６に入射する光の強度を超えないようにできることに加え、この係数を適切に求めることにより、液晶パネル３７に表示される画像を、印画紙に印画された画像のように表示できる。
【００３４】
更に、図４（ｃ）は、バックライト４５に入力される電圧信号（Ｖｉｎ）（単位：Ｖ）と、その時の液晶パネル３７での光の強さを示す光強度（単位：ｃｄ／ｍ2）との関係を直線７６で示すグラフである。このグラフに示すように、前記電圧信号と前記光強度との関係は、バックライト４５の閾値電圧（Ｖｂ）をオフセット値として、概ね１次の比例関係にある。従って、この比例関係を示すパラメータを実験等により取得して、取得したパラメータを記憶部２５に予め記憶しておき、信号算出部２０は、必要に応じて記憶したパラメータを読み出すことにより、液晶パネル３７で表示する光強度を、前記反射光の強度（β）の値と略同一にすべく、バックライト４５に入力する電圧信号（Ｖｉｎ）を算出できる。
【００３５】
上記した関係から、光強度出力部１５から出力された電圧信号（Ｖｏｕｔ）に対して、一般的な印画紙に表示するのと略同一の強度で画像を表示するためのバックライト４５に入力する電圧信号（Ｖｉｎ）を算出できる。即ち、光強度出力部１５の周囲が暗い場合は、バックライト４５から射出される光束の強度は抑えられると共に、光強度出力部１５の周囲が明るい場合は、バックライト４５から射出される光束の強度は強くなる。
【００３６】
図３に戻り、信号算出部２０は、光強度出力部１５から出力される電圧信号（Ｖｏｕｔ）を入力して、光源手段４０から射出する光束の強度を制御する電圧信号（Ｖｉｎ）を算出し、算出した電圧信号（Ｖｉｎ）を光源手段４０に送る。
【００３７】
光源手段４０は、信号算出部２０から送られる電圧信号（Ｖｉｎ）に応じた光の強さで発光し、表示手段３５に表示される画像を背面から照射する。
【００３８】
以上述べた実施形態１によれば、以下のような効果を奏する。
（１）周囲の明るさに応じて、画像表示部３０で表示される画像の明るさが変化するため、ユーザは、銀塩写真を見ているような感覚を覚える。更に、一般的な印画紙における反射率をより精度良く求めておくことで、画像表示部３０で表示される画像の光の強さは、対象とした印画紙上の画像の光の強さと略一致するため、銀塩写真により近い感覚をユーザに与えることができる。
（実施形態２）
【００３９】
次に、本発明の実施形態２について、図５を参照して説明する。尚、以下の説明では、既に説明した部分と同一な部分については、同一番号の符号を付してその説明を省略するまたは簡略する。図５（ａ）は、電子式フォトビューア１の外観を示す図であり、図５（ｂ）は、液晶パネル３７およびフォトセンサ１６の配置関係を説明する図である。実施形態１では、フォトセンサ１６は、液晶パネル３７の上部に１個配置されると共に、液晶パネル３７およびバックライト４５は、領域を分割することなく、バックライト４５は同じ光の強さで液晶パネル３７を照射していたが、実施形態２では、複数のフォトセンサ（１６Ａ〜１６Ｄ）を液晶パネル３７の各辺の略中央に配置すると共に、バックライト４５を所定の数に分割して、それぞれの領域（ａ１〜ａ９）毎にバックライト４５から照射される光強度を制御する。
【００４０】
より具体的には、各フォトセンサ（１６Ａ〜１６Ｄ）の電圧信号（Ｖｏｕｔ）を、それぞれ、Ｆｓ１〜Ｆｓ４とすると、液晶パネル３７の各領域（ａ１〜ａ９）における光強度（α１〜α９）を示す電圧信号（Ｖｏｕｔ１〜Ｖｏｕｔ９）は、それぞれ次式のように按分することで近似できる。
【００４１】
Ｖｏｕｔ１＝（Ｆｓ１＋Ｆｓ２）／２
Ｖｏｕｔ２＝ＦＳ１
Ｖｏｕｔ３＝（Ｆｓ１＋Ｆｓ３）／２
Ｖｏｕｔ４＝Ｆｓ２
Ｖｏｕｔ５＝（Ｆｓ１＋Ｆｓ２＋Ｆｓ３＋Ｆｓ４）／４
Ｖｏｕｔ６＝Ｆｓ３
Ｖｏｕｔ７＝（Ｆｓ２＋Ｆｓ４）／２
Ｖｏｕｔ８＝Ｆｓ４
Ｖｏｕｔ９＝（Ｆｓ３＋Ｆｓ４）／２
【００４２】
更に、実施形態１と同様の方法を用いることにより、上記それぞれの光強度（α１〜α９）に対して、反射光の強度（β１〜β９）をそれぞれ算出すると共に、算出した反射光の強度（β１〜β９）から、バックライト４５のそれぞれの領域（ａ１〜ａ９）に入力する電圧信号（Ｖｉｎ１〜Ｖｉｎ９）が算出できる。
【００４３】
このような実施形態２によれば、実施形態１の（１）の効果に加えて、以下のような効果を奏することができる。
（２）周囲の光の強度を、液晶パネル３７の周辺に分散して配置した複数のフォトセンサ１６で検出するため、周囲の光の強度をより詳細に取得できることから、例えば、液晶パネル３７上での光の強弱（グラデーション）も再現できる。
（実施形態３）
【００４４】
次に、本発明の実施形態３について、図６を参照して説明する。図６は、電子式フォトビューア１のハードウェア構成を示す図である。実施形態１では、色に依存しない光の強度をフォトセンサ１６で検出していたが、本実施形態３では、カラーフォトセンサ１７とカラーバックライト液晶ディスプレイ３３とを採用する。カラーフォトセンサ１７は、赤色光（Ｒ）、緑色光（Ｇ）および青色光（Ｂ）の各色毎の光の強度を示す電圧信号（ＶｏｕｔＲ，ＶｏｕｔＧ，ＶｏｕｔＢ）を分離して出力する。また、このカラーバックライト液晶ディスプレイ３３は、カラーバックライト４６と、液晶パネル３７を具備する。
【００４５】
ここで、各色の電圧信号（ＶｏｕｔＲ，ＶｏｕｔＧ，ＶｏｕｔＢ）から、全体の電圧信号Ｖｏｕｔは、色の強さと色差の変換パラメータとセンサオフセット電圧Ｖｓを用いて、以下の式で表示できる。
【００４６】
Ｖｏｕｔ＝０．３×（ＶｏｕｔＲ−Ｖｓ）＋０．５９×（ＶｏｕｔＧ−Ｖｓ）＋０．１１×（ＶｏｕｔＢ−Ｖｓ）＋Ｖｓ
【００４７】
また、便宜上、Ｖｏｕｔ'を以下の様に定義する。
Ｖｏｕｔ'＝ＶｏｕｔＲ×０．３＋ＶｏｕｔＧ×０．５９＋ＶｏｕｔＢ×０．１１
【００４８】
従って、上記式を用いて、各色の強さを維持するため、それぞれの色毎の電圧信号（ＶｉｎＲ，ＶｉｎＧ，ＶｉｎＢ）は、次式で表示できる。
ＶｉｎＲ＝（ＶｏｕｔＲ−Ｖｓ）／Ｖｏｕｔ'×（Ｖｏｕｔ−Ｖｂ）
ＶｉｎＧ＝（ＶｏｕｔＧ−Ｖｓ）／Ｖｏｕｔ'×（Ｖｏｕｔ−Ｖｂ）
ＶｉｎＢ＝（ＶｏｕｔＢ−Ｖｓ）／Ｖｏｕｔ'×（Ｖｏｕｔ−Ｖｂ）
【００４９】
このような実施形態３によれば、実施形態１の（１）の効果に加えて、以下のような効果を奏することができる。
（３）カラーフォトセンサ１７と、カラーバックライト４６により、周囲の光の強度に加え、画像の色合いも再現できる。
【００５０】
以上、本発明を図示した実施形態に基づいて説明したが、本発明は、本実施形態に限定されるものではなく、以下に述べるような変形例も想定できる。
（１）液晶ディスプレイ３２の周辺にフォトセンサ１６を配置する替わりに、インプットディスプレイ（東芝松下ディスプレイテクノロジー株式会社製）のように、各画素単位で明るさを検出する機能を有するディスプレイを採用し、各画素毎に明るさを検出しても良い。
【図面の簡単な説明】
【００５１】
【図１】実施形態１に係る電子式フォトビューアの外観を示す図。
【図２】実施形態１に係る電子式フォトビューアのハードウェア構成を示す図。
【図３】実施形態１に係る電子式フォトビューアの機能構成を示す図。
【図４】図（ａ）は、光強度と出力される電圧信号との関係をグラフを示し、図（ｂ）は、光強度と媒体の反射光の強度との関係を示すグラフを示し、図（ｃ）は、入力される電圧信号と光強度との関係を示すグラフを示す図。
【図５】図（ａ）は、実施形態２に係る電子式フォトビューアの外観を示し、図（ｂ）は、液晶パネルおよびフォトセンサの配置関係を示す図。
【図６】実施形態３に係る電子式フォトビューアのハードウェア構成を示す図。
【符号の説明】
【００５２】
１…電子式フォトビューア、３…筐体部、５…支持部、１０…画像データ入力部、１２…メモリカードリーダ、１５…光強度出力部、１６…フォトセンサ、１７…カラーフォトセンサ、２０…信号算出部、２５…記憶部、３０…画像表示部、３２…液晶ディスプレイ、３３…カラーバックライト液晶ディスプレイ、３５…表示手段、３７…液晶パネル、３９…電子写真画像、４０…光源手段、４５…バックライト、４６…カラーバックライト、５０…ＣＰＵ、５２…ＲＡＭ、５４…ＲＯＭ、５６…記憶装置、５８…入力Ｉ／Ｆ、６２…液晶ディスプレイコントローラ、６４…バス、７２，７４，７６…直線。
【図２】
2007193163.tif 000003
【図３】
2007193163.tif 000004
【図４】
2007193163.tif 000005
【図６】
2007193163.tif 000006
【図１】
2007193163.tif 000007
【図５】
2007193163.tif 000008